(57)【要約】【課題】クッション体調節装置の提供。【解決手段】本考案は一種のクッション体調節装置に関わるものである。主に、クッション体に２組以上の重ね合う空気袋セットを設けて、空気ポンプにより主空気流路に吸気を供給する。各空気袋セットは分流空気経路を介して主空気流路に連結し、各分流空気経路に分流空気経路を開閉するための制御弁を設ける。前記の空気ポンプ、制御弁は一つ以上の制御装置によって制御される。各空気袋セットは空気充填後、クッション体に支える働きを有するほか、排気による縮小と空気充填による膨張を交互に行うことにより、クッション体にマッサージ効果を与える。このほか、重ね合った２組の空気袋セットのうち、一つが排気による縮小、もう一つは空気充填による膨張の態様において、クッション体表面の突起部が滑り移動の状態を形成する。【選択図】図１
0003131127.tif 000002
【実用新案登録請求の範囲】
【請求項１】
クッション体内部に２組以上互いに重ね合う空気袋セットを設け、一つ以上の空気ポンプより、主空気経路に空気供給し、空気袋セットはそれぞれ分流空気流路を介して、主空気経路に連結し、分流空気流路に分流空気経路を開閉するための制御弁を設ける、前記の空気ポンプ、制御弁は一つ以上の制御装置により制御され、２組以上互いに重ね合った空気袋セットのうち、一つが排気による縮小と、一つが空気充填による膨張の態様を形成し、クッション体に突起部が滑り移動の態様を形成することを特徴とするクッション体調節装置。
【請求項２】
主空気経路にリリーフ弁を設けることを特徴とする請求項１記載のクッション体調節装置。
【請求項３】
主空気経路に圧力センサーを設けることを特徴とする請求項１記載のクッション体調節装置。
【請求項４】
分流空気経路に圧力センサーを設けることを特徴とする請求項１記載のクッション体調節装置。
【請求項５】
主空気経路に一つ以上の分流空気流路を設け、互いに重ね合った空気袋セットの分流空気経路を並列して、同じ分流空気流路に取り付けることを特徴とする請求項１記載のクッション体調節装置。
【請求項６】
制御弁はさらに、対応の空気袋セットを排気するための排気流路を設けることを特徴とする請求項５記載のクッション体調節装置。
【請求項７】
分流空気経路と主空気経路との間に分流弁を設けることを特徴とする請求項５記載のクッション体調節装置。
【請求項８】
互いに重ね合った空気袋セットの分流空気経路は並列して主空気経路に接続することを特徴とする請求項１記載のクッション体調節装置。
【請求項９】
主空気経路に排気弁を設けることを特徴とする請求項８記載のクッション体調節装置。
【請求項１０】
制御弁はさらに、対応の空気袋セットを排気するための排気流路を設けることを特徴とする請求項８記載のクッション体調節装置。
【考案の詳細な説明】
【技術分野】
【０００１】
本考案は一種のクッション体調節装置、座席、マッサージ装置、寝具製品のクッション体に応用できる。主にクッション体内部に２組以上の重ね合う空気袋セットを設けて、空気袋セットの空気充填と排気するときの変化に従い、クッション体は支え、マッサージ及び突起部の滑り移動効果を有する。
【背景技術】
【０００２】
クッション体に靠れるときの快適性を向上するため、公知技術はクッション体に機械式の押し棒又はカム装置を取り付けて、クッション体の円弧度を調節し、クッション体の円弧度を利用者の好む態様を形成する。一例として、車の座席の背もたれ部のクッション体に応用することにより、座席の背もたれ部の円弧度を改変し、利用者に必要な腰部の靠れ効果を有する。
【０００３】
しかしながら、この種のクッション体に機械式の押し棒又はカム装置を取り付ける技術は、設置空間を要するほか、クッション体表面の受圧不均衡問題を引き起し、利用者の快適感を損なうばかりでなく、車が衝突したとき、乗員に不当な集中圧力が掛かり、安全性問題を引き起こす。このため、クッション体に複数の空気袋セットを設け、空気袋セットの縮小と膨らみにより、クッション体表面の円弧度を改変する技術は適切な緩衝効果があるため、現在と将来の主流となる。
【０００４】
一方、空気袋セットを縮小や膨張させる技術は、空気袋セットに密閉状態の空間を設けて、当該空気袋セットに対して空気の充填と放出制御を行うことにより、縮小や膨張効果を改変する。ただし、該軟性密閉空間の圧力が大きくなり、空気袋はますます球形に近くなると、クッション体の局部に異常な膨らみを引き起す。特に、空気袋を隣り合う又は近接場所に設置し、膨らんできたとき、二つの空気袋は相対的に、凹み区域が顕著的に形成する。
【０００５】
よって、クッション体に複数の空気袋セットを設ける場合、利用者の必要な支え部位又はマッサージしたい部位は、その凹み区域にあるとき、クッション体に備える各空気袋セットは、支え又はマッサージ効果を発揮できないばかりでなく、利用者に区間を置いた不連続な支え効果を感じさせる。本考案人はこの点を鑑みて、クッション体により良い支え、マッサージ効果を有する一種のクッション体調節装置を考案した。
【考案の開示】
【考案が解決しようとする課題】
【０００６】
クッション体に２組以上互いに重ね合う空気袋セットを設け、一つ以上の空気ポンプにより、主空気経路に空気を供給する。空気袋セットはそれぞれ分流空気経路を介して、主空気経路に連結し、各分流空気経路に分流空気経路の開閉を制御するための制御装置を設ける。前記の空気ポンプ、制御弁は一つ以上の制御装置によって制御される、一種のクッション体調節装置を提供することを本考案の主な目的である。
【０００７】
これらの構成要素により、各空気袋セットは空気充填後にクッション体の支え効果があるほか、排気による縮小と空気充填による膨張の交互制御により、マッサージ効果を有する。さらに、２組の互いに重ね合った空気袋セットは、排気による縮小と空気充填による膨張の態様を形成し、重ね合った空気袋セットに凹み区域がなく、クッション体表面に突起部が滑り移動態様を形成する。
【０００８】
このほか、主空気経路はさらにリリーフ弁を設け、主空気経路の内圧が超過したとき、該リリーフ弁によりリリーフ機能を作動させる。なお、該主空気経路に圧力センサーを設けても良い。さらに、各分流空気経路に圧力センサーを設け、分流空気経路の内圧を検出し、各空気袋セットの空気充填と排気に対し、精密的な制御を行い、制御装置が各空気袋セットに対する空気充填内容の記録に便利する。
【０００９】
公知技術に対して、本考案は空気袋セットによりクッション体の円弧度調節は、圧力制御によりクッション体の円弧度を精確に変化させ、空気袋と空気袋との間の凹み区域は顕著的でないため、利用者の靠れる快適性を向上できる。一方、クッション体表面の圧力分散効果により、各空気袋は空気充填と空気放出による変形のとき、クッション体表面の円弧度が滑らかになり、人間工学に追従できるほか、クッション体の支え、マッサージ効果をより精確に、かつ、快適感を有する。２組の重ね合った空気袋セットのうち、一つが排気による縮み、もう一つは空気充填による膨張制御により、クッション体表面の突起部が滑り移動の態様を有し、間隔を置いた段差がない。利用者の触感と快適感を向上するほか、クッション体全体の質感を間接的に与える。
【課題を解決するための手段】
【００１０】
請求項１の考案は、クッション体内部に２組以上互いに重ね合う空気袋セットを設け、一つ以上の空気ポンプより、主空気経路に空気供給し、空気袋セットはそれぞれ分流空気流路を介して、主空気経路に連結し、分流空気流路に分流空気経路を開閉するための制御弁を設ける、前記の空気ポンプ、制御弁は一つ以上の制御装置により制御され、２組以上互いに重ね合った空気袋セットのうち、一つが排気による縮小と、一つが空気充填による膨張の態様を形成し、クッション体に突起部が滑り移動の態様を形成することを特徴とするクッション体調節装置としている。
請求項２の考案は、主空気経路にリリーフ弁を設けることを特徴とする請求項１記載のクッション体調節装置としている。
請求項３の考案は、主空気経路に圧力センサーを設けることを特徴とする請求項１記載のクッション体調節装置としている。
請求項４の考案は、分流空気経路に圧力センサーを設けることを特徴とする請求項１記載のクッション体調節装置としている。
請求項５の考案は、主空気経路に一つ以上の分流空気流路を設け、互いに重ね合った空気袋セットの分流空気経路を並列して、同じ分流空気流路に取り付けることを特徴とする請求項１記載のクッション体調節装置としている。
請求項６の考案は、制御弁はさらに、対応の空気袋セットを排気するための排気流路を設けることを特徴とする請求項５記載のクッション体調節装置としている。
請求項７の考案は、分流空気経路と主空気経路との間に分流弁を設けることを特徴とする請求項５記載のクッション体調節装置としている。
請求項８の考案は、互いに重ね合った空気袋セットの分流空気経路は並列して主空気経路に接続することを特徴とする請求項１記載のクッション体調節装置としている。
請求項９の考案は、主空気経路に排気弁を設けることを特徴とする請求項８記載のクッション体調節装置としている。
請求項１０の考案は、制御弁はさらに、対応の空気袋セットを排気するための排気流路を設けることを特徴とする請求項８記載のクッション体調節装置としている。
【考案の効果】
【００１１】
本考案は空気袋セットによりクッション体の円弧度調節は、圧力制御によりクッション体の円弧度を精確に変化させ、空気袋と空気袋との間の凹み区域は顕著的でないため、利用者の靠れる快適性を向上できる。一方、クッション体表面の圧力分散効果により、各空気袋は空気充填と空気放出による変形のとき、クッション体表面の円弧度が滑らかになり、人間工学に追従できるほか、クッション体の支え、マッサージ効果をより精確に、かつ、快適感を有する。２組の重ね合った空気袋セットのうち、一つが排気による縮み、もう一つは空気充填による膨張制御により、クッション体表面の突起部が滑り移動の態様を有し、間隔を置いた段差がない。利用者の触感と快適感を向上するほか、クッション体全体の質感を間接的に与える。
【考案を実施するための最良の形態】
【００１２】
図１と図２を参照する。図１は本考案実施例１の空気袋セットの所在位置概略図で、図２は本考案実施例１の装置配置の概略図である。本実施例において、クッション体調節装置はクッション体１０に２組以上互いに重ね合う空気袋セット２０を設けて、空気袋グループを構成する。さらに、空気ポンプ３０により、主空気流路４０に空気を供給する。空気袋セット２０はそれぞれ分流空気経路５０を介して、主空気流路４０に連結する。なお、分流空気経路５０はそれぞれ分流空気経路の開閉を制御するための制御弁６０を設ける。前記の空気ポンプ３０及び制御弁６０は一つ以上の制御装置７０によって制御される。
【００１３】
該空気袋セット２０は一つ以上の空気袋２１より構成する。本実施例において、空気袋セット２０は二つの空気袋２１より構成し、三つの空気袋セット２０を接続し、重ね合って、空気袋グループを構成する。各空気袋セット２０間のパイ列方式は、垂直配列又は水平配列による。図示は垂直配列により、重ね合わせる方式は上部の空気袋セット２０を下部の空気袋セット２０に重ね置きする。
【００１４】
空気ポンプ３０は必要により、一つ又は複数を設置する。図示は一つの空気ポンプ３０を例示する。
該主空気流路４０にリリーフ弁４１を設け，主空気流路４０の内圧が超過のとき、該リリーフ弁４１はリリーフ働きを有する。該主空気流路４０に分流空気流路４２を設け、互いに重ね合った空気袋セット２０の分流空気経路５０は、同一の分流空気流路４２に並列して設け、分流空気流路４２と主空気流路４０との間に分流弁４３を設け、該分流弁４３は制御装置７０によって制御される。
【００１５】
さらに、主空気流路４０と各分流空気経路５０に圧力センサー８０を設け、主空気流路４０と各分流空気経路５０の内圧を検出し、制御装置７０により各空気袋セット２０の空気充填と排気に対する精密的な制御を行い、制御装置が各空気袋セット２０に対する空気充填内容の記録に便利する。
各制御弁６０に排気流路６１をそれぞれ設け、対応の空気袋セット２０の排気を行う。
【００１６】
これらの構成要素により、各空気袋セット２０は空気充填後にクッション体１０の支え効果があるほか、排気による縮小と空気充填による膨張の交互制御により、クッション体１０はマッサージ効果を有する。さらに、２組の互いに重ね合った空気袋セット２０は、排気による縮小と空気充填による膨張の態様を形成し、重ね合った空気袋セットに凹み区域がなく、クッション体１０表面に突起部が滑り移動態様を形成する。
【００１７】
前記の主空気流路４０、リリーフ弁４１、分流空気流路４２、分流弁４３、分流空気経路５０、制御弁６０、排気流路６１、圧力センサー８０などの構成部品は、全部又は一部を一つの弁アセンブリ１００に整合して実施するか、又は分散して、クッション体１０内部の適切な場所に実施することができる。
【００１８】
図３、図４、図５、図６は、本考案実施例１の作動状態概略図１、２、３、４である。本考案実施例１における各空気袋セット２０の空気充填による膨張、空気放出による縮小原理を説明する。そのうち、各空気袋セット２０は略図で表示し、各分流空気経路５０とそれぞれ対応する空気袋セット２０との間は管体５１を介する。
【００１９】
図３に示す通り、一つの空気袋セット２０に空気充填するとき、空気ポンプ３０を稼働させ、該分流弁４３を開放し、空気を主空気流路４０より、分流空気流路４２に供給し、該空気袋セット２０に対応する制御弁６０を介して、分流空気流路４２と分流空気経路５０との間の断絶状態にして、空気を該空気袋セット２０に流入させ、膨張させる。必要な大きさに膨らんだとき、該制御弁６０を操作し、分流空気流路４２と分流空気経路５０との間の流動を絶ち切って、該空気袋セット２０を膨張の態様を維持し、支え効果を提供する。
【００２０】
膨張状態の空気袋セット２０から空気放出するときは、図４に示す通り、排気流路６１より該空気袋セット２０内部の空気を放出するほか、図５に示すとおり、電気消費がないまま、圧力均衡効果により、該空気袋セット２０より放出する空気を他の空気袋セット２０に注入し、当該空気袋セット２０に対する初期の空気充填を行い、当該空気袋セット２０の初期の空気充填が完了した後、図６に示すとおり、該空気袋セット２０内部の残存気体を排気流路６１より排出する。その後、空気ポンプ３０を起動し、初期の空気充填を終了した空気袋セット２０に継続の空気充填を行う。
【００２１】
図１を併せて参照する。空気袋セット２０同士は重ね合う状態のため、２組の互いに重ね合う空気袋セット２０のうち、一つが排気による縮小と、一つが空気充填による膨張の態様のとき、クッション体１０表面に突起部の滑り移動態様を形成し、クッション体１０の支え効果を調節できる。このほか、各空気袋セット２０同士の縮み、膨張動作を頻繁に操作することにより、クッション体１０突起部の滑り移動のマッサージ効果を有する。
【００２２】
前記の図３から図６は、二つの互いに重ね合った空気袋セット２０を例示している。実施するときは、複数の空気袋セット２０の縮み、膨張操作により、支え、マッサージ効果を有するほか、滑り移動の調節及びマッサージ効果を有する。
【００２３】
図７は、本考案実施例２の装置配置の概略図である。本実施例において、もう一つの方式により、空気袋セット２０同士の縮み、膨張のセット合せ方式と手段を示す。本実施例２と実施例１と異なるところは、互いに重ね合った空気袋セット２０の分流空気経路５０は主空気流路４０に並列接続し、対応の空気袋セット２０を排気するため、制御弁６０に一つの排気流路６１を設ける。これにより、各空気袋セット２０の縮み、膨張操作を行うことができる。並列接続した各空気袋セット２０同士は、圧力均衡効果により、空気を充満した空気袋セット２０を空気充填される空気袋セット２０に対して、初期の空気充填を行い、空気袋セット２０稼働電気の節約を図る。
【００２４】
図８は本考案実施例３の装置配置の概略図である。本実施例３と実施例１と異なるところは、互いに重ね合った空気袋セット２０の分流空気経路５０は主空気流路４０上に並列接続し、主空気流路４０に排気弁４４を設けることにより、本実施例による各空気袋セット２０の縮み、膨張の目的を実現する。さらに、並列接続した各空気袋セット２０同士は、圧力均衡効果により、空気の充満した空気袋セット２０を空気充填する空気袋セット２０に対して、初期の空気充填を行い、空気袋セット２０稼働電気の節約を図る。
【００２５】
図９と図１０は、本考案実施例４の装置配置の概略図である。本実施例４は実施例１より派生するもので、複数の分流空気流路４２と当該対応の分流弁４３を設けることにより、複数の互いに重ね合った空気袋セット２０又は一つの空気袋セット２０の空気袋グループを分けて、クッション体１０内部の適切な部位にて、支え又はマッサージ効果のクッション体を実現する。
【図面の簡単な説明】
【００２６】
【図１】本考案の実施例１における空気袋セットの所在位置概略図である。
【図２】本考案の実施例１の装置配置概略図である。
【図３】本考案の実施例１の作動状態概略図(１)である。
【図４】本考案の実施例１の作動状態概略図(２)である。
【図５】本考案の実施例１の作動状態概略図(３)である。
【図６】本考案の実施例１の作動状態概略図(４)である。
【図７】本考案の実施例２の装置配置概略図である。
【図８】本考案の実施例３の装置配置概略図である。
【図９】本考案の実施例４の装置配置概略図である。
【図１０】本考案実施例４の使用態様概略図である。
【符号の説明】
【００２７】
１０  クッション体
２０  空気袋セット
２１  空気袋
３０  空気ポンプ
４０  主空気流路
４１  リリーフ弁
４２  分流空気流路
４３  分流弁
４４  排気弁
５０  分流空気経路
５１  管体
６０  制御弁
６１  排気流路
７０  制御装置
８０  圧力センサー
１００  弁アセンブリ
【図１】
0003131127.tif 000003
【図２】
0003131127.tif 000004
【図３】
0003131127.tif 000005
【図４】
0003131127.tif 000006
【図５】
0003131127.tif 000007
【図６】
0003131127.tif 000008
【図７】
0003131127.tif 000009
【図８】
0003131127.tif 000010
【図９】
0003131127.tif 000011
【図１０】
0003131127.tif 000012